(57)【要約】      （修正有）【課題】使い慣れている通貨単位以外の国での通貨の使用時、支払い・精算に困惑してしまうがスムーズな通貨の計算をする為には通貨の種類の見極めや必要な硬貨の取り出しを視認、判別することで容易に出来る財布を提供する。【解決手段】紙幣収納部３と硬貨収納部４及びカード類収納部２を有しマチ部５を設けることで取り出し易くし、分割された硬貨収納部と紙幣収納部の上部に透明パネルポケットが備えてあり透明パネルポケットに各国の硬貨絵柄及び単位、名称を記載した紙幣・硬貨通貨対比表示カードを差し込むことで通貨仕分けを視認しやすくなり金額数字の照合は勿論、絵柄との図合わせをしてスムーズな仕分け分別が出来ることで精算時の金額が容易に取り出すことが出来、支払い時の時間短縮や物価や所持金の確認がしやすくなる。【選択図】図１
2019154882.tif 000002
【特許請求の範囲】
【請求項１】
紙幣収納部と硬貨収納部及びカード類収納部を設けた財布であって、紙幣収納部内上部に設けた透明パネルポケットと硬貨収納部の主開閉ファスナー内に硬貨収納部を分割し各硬貨収納部内上部に設けた透明パネルポケットに各国に対応した紙幣通貨対比表示カードと硬貨通貨対比表示カードを差し込むことにより通貨を判別、視認しやすくなり、通貨の分別収納と支払いが出来ることを特徴とした財布。
【請求項２】
前記透明パネルポケットは上部が開口しているポケット状のもので中が透けて見える素材で形成されており、紙幣と硬貨の通貨対比表示カードは、紙状のもの、又はパネル状のもので出来ていて、差し替えが可能なように、つまみ部を設け通貨の図柄、別称、単位、名称、日本円単位が記載されていることで通貨の分類、収納、通貨計算、支払いが可能になることを特徴とした請求項１に記載の財布。
【請求項３】
前記硬貨通貨対比表示カード及び紙幣通貨対比表示カードは、表と裏で二面になっていて、更に二つ折りになることで、一枚で四ヶ国の通貨が記載されていて、折り返し、差し替えをすることで目的の国に対応出来るカードであることを特徴とした請求項１又は２に記載の財布。
【発明の詳細な説明】
【技術分野】
【０００１】
各国の通貨単位が違うため、わかりやすく分別収納及び必要な額をスムーズに取り出せる財布を提供する。          
【背景技術】
【０００２】
海外に行ったとき、各国の通貨単位が違うため、特に硬貨の使用に手間取ってしまう事がある。
【０００３】
この改善策として外貨の単位を分かり易く表示し、レジでの支払いの時間短縮及びスムーズな支払いをすることができる方法がある。（特許文献１）
【先行技術文献】
【特許文献】
【０００４】
【特許文献１】実用新案登録第3212920号公報
【発明の概要】
【発明が解決しようとする課題】
【０００５】
使い慣れている通貨以外の国で通貨を使用するとき、支払いになれていない人は特に硬貨を使用するとき、支払時に困惑してしまい、必要な額の金額を取り出すことは容易な事ではない。
硬貨の使用に手間取ってしまう為、硬貨の多くは財布内に収納されたまま、財布は重く使い勝手が悪くなる。
本来の使い勝手を大きく損なうことなく、外貨の数種類の硬貨と紙幣を分類、収納し、支払いもスムーズになるように工夫した財布が求められている。
【課題を解決するための手段】
【０００６】
１  本発明の財布は、紙幣収納部と硬貨収納部及びカード類収納部を設けた財布であって、紙幣収納部内上部に設けた透明パネルポケットと硬貨収納部の主開閉ファスナー内に硬貨収納部を分割し各硬貨収納部内上部に設けた透明パネルポケットに各国に対応した紙幣通貨対比表示カードと硬貨通貨対比表示カードを差し込むことにより通貨を判別、視認しやすくなり、通貨の分別収納と支払いが出来ることを特徴とする。
２  本発明の財布は、前記透明パネルポケットは上部が開口しているポケット状のもので中が透けて見える素材で形成されており、紙幣と硬貨の通貨対比表示カードは、紙状のもの、又はパネル状のもので出来ていて、差し替えが可能なように、つまみ部を設け通貨の図柄、別称、単位、名称、日本円単位が記載されていることで通貨の分類、収納、通貨計算、支払いが可能になることを特徴とする。
３  本発明の財布は、前記硬貨通貨対比表示カード及び紙幣通貨対比表示カードは、表と裏で二面になっていて、更に二つ折りになることで、一枚で四ヶ国の通貨が記載されていて、折り返し、差し替えをすることで目的の国の対応出来るカードであることを特徴とする。
【発明の効果】
【０００７】
硬貨通貨対比表示カードに硬貨の絵柄及び単位、別称、名称、日本円単位が記載されていることで、初心者、未成年者でも簡単に一目で硬貨の種類ごとに区別することが可能になり硬貨の単位と使用金額の計算がスムーズになる。
各国通貨単位において通貨計算がスムーズになる。使用通貨の計算が容易になることにより物価をわかりやすくする。
購入しようとしている商品の値段が自国の通貨で計算しやすいと、高いのか安いのかがすぐに判断でき買い物しやすくなる。
自国の通貨で計算がしやすいと所持金がいくらなのかを把握しやすい。
各国の通貨の紙幣・硬貨通貨対比表示カードがある為、急な海外でも安心出来る。
透明パネルポケットが財布内にあることでちょっとしたメモが入れられる。
【図面の簡単な説明】
【０００８】
【図１】財布本体を示す全体図
【図２】収納要分の拡大図
【図３】硬貨通貨対比表示カードのアメリカドル硬貨表示例
【図４】パネルポケットに硬貨・通貨対比表示カードを挿入する説明図
【図５】紙幣通貨対比表示カードのアメリカドル紙幣表示例
【図６】硬貨収納部を６分割に増やした図
【図７】図６の要部拡大図
【図８】アメリカドル通貨対比表一覧説明書
【図９】硬貨通貨対比表示カード・紙幣通貨対比表示カードを広げた図
【図１０】財布本体裏側全体図
【図１１】硬貨通貨対比表示カードの韓国ウォン硬貨表示例
【図１２】紙幣通貨対比表示カードの韓国ウォン紙幣表示例
【図１３】硬貨通貨対比表示カードのニュージーランドドル硬貨表示例
【図１４】紙幣通貨対比表示カードのニュージーランドドル紙幣表示例
【図１５】硬貨通貨対比表示カードのカナダドル硬貨表示例
【図１６】紙幣通貨対比表示カードのカナダドル紙幣表示例
【図１７】韓国ウォン通貨対比表一覧説明書
【図１８】ニュージーランドドル通貨対比表一覧説明書
【図１９】カナダドル通貨対比表一覧説明書
【発明を実施するための形態】
【０００９】
図１、図２に示す本発明の財布実施例を説明する。
財布本体１は、カード類収納部２と外貨紙幣収納部３と、外貨硬貨収納部４を有し、外貨の振り分け、仕分け、収納、外貨計算を容易にし、マチ部５を設けることで、取り出しやすくした財布で、ファスナー７やスナップ６で硬貨の落下を防止する。
カードにはクレジットカード、ポイントカード、キャッシュカード、会員カード、運転免許証などがある。
【００１０】
財布本体１の前面に、外貨紙幣収納部３を設けることで、チップの習慣のある国において、小額紙幣、チップやサービス料が容易に取り出しやすくなっている。
外貨硬貨収納部４は４分割されている。
【００１１】
図２は、図１の通貨収納部の正面部分拡大図である。
財布本体１内には、外貨紙幣収納部３や外貨硬貨収納部４内の上部に透明のパネルポケット９が備えてあり、外貨硬貨収納部４には、仕切板８で、硬貨が混同しないようになっている。
【００１２】
図３・図４・図５で、図１と図２の透明パネルポケット９の使用例を詳しく説明します。図４は図２の一部を更に拡大した図で、外貨硬貨収納部４内、外貨紙幣収納部３内において、透明パネルポケット９は、上部が開口しているポケット状のもので、シート状のもの、紙類、又は硬貨そのものが入れられ、正面は中身が見える透明の素材で出来ていて、ポケット上部開口部１７から硬貨通貨対比表示カード１０、紙幣通貨対比表示カード１８が入れられる様になっている。
【００１３】
図３の硬貨通貨対比表示カード１０、図５の紙幣通貨対比表示カード１８は、透明パネルポケット９に入る大きさで、硬貨通貨対比表示カード１０には各国の種別の硬貨絵柄１２と、硬貨別称１３と、硬貨単位１４と、硬貨名称１５と、日本円単位１６が記載されており、硬貨通貨対比表示カード１０、紙幣通貨対比表示カード１８の上部には、透明パネルポケット９に出し入れしやすいように、つまみ１１がついている。
【００１４】
つまみ１１は、国名、通貨コード、が記載されていて行き先国に合わせて選び易くなっている。
【００１５】
硬貨通貨対比表示カード１０、紙幣通貨対比表示カード１８の使用例を、１つの形態として米ドルを説明します。
円相場のレートにより金額が上下するが、わかりやすく１ドル＝１００円として計算すると、５ドル＝５００円、１０ドル＝１０００円、２０ドル＝２０００円、５０ドル＝５０００円、１００ドル＝１００００円、となり、２５セント＝２５円、１０セント＝１０円、５セント＝５円、１セント＝１円、となり、特に選別、認識しづらい外貨硬貨の硬貨絵柄１２が記載してあることで硬貨絵柄１２と図合わせすることで、視認、判別ができ、外貨硬貨の種類の見極めが容易になり、一目でその種類を判断でき、外貨硬貨収納部４において分別収納しやすくなる。更に硬貨別称１３、硬貨単位１４、硬貨名称１５が記載してあることで、金額数字の照合ができ、通貨の認識に確実性が増す。
【００１６】
硬貨通貨対比表示カード１０、紙幣通貨対比表示カード１８に米ドルと対応した日本円単位１６が記載してあることで、日本円への概略的計算がしやすくなっていて、日本円の計算の感覚に近づけることで、支払い時の計算がしやすくなり、必要な金額を速やかに計算しマチ部５で通貨の出し入れを容易に行え、取り出しやすくすることで支払いがスムーズになり、海外で財布内に嵩張りがちな硬貨を有効に活用でき、流動性を高められる。
【００１７】
普段使い慣れている通貨の日本円単位１６が記載してあることで、どれだけの額を所持しているのか、支払おうとしているのか、物価が高いのか、安いのかを速やかに判断できる。
【００１８】
図３の硬貨通貨対比表示カード１０は、各国ごとに作成してあるため、海外の行き先ごとに透明パネルポケット９に差し込むことで各国に対応している。
硬貨通貨対比表示カード１０に記載してある日本円単位１６は、各国の平均レートであり、為替レートが変動する為、財布使用時に硬貨通貨対比表示カード１０の日本円単位１６に手書きで上書きするか、透明パネルポケット９内にその時の為替レートを別紙に書いて日本円単位１６に重ねて差し込むことで為替レートの変動に対応出来る。
【００１９】
図５は外貨紙幣に対応した紙幣通貨対比表示カード１８で通貨の絵柄が無くても判別しやすい紙幣は、紙幣単位１９と紙幣名称２０の記載に対応した日本円単位１６で理解ができる。
図５は図３同様、各国ごとに作成してあり、使い方も同様である。
【００２０】
図６は図１と同様の形態で、外貨硬貨収納部４の４分割よりも硬貨種類が多い国に対応する場合は６分割が望ましく、図７は図６の通貨収納部の拡大図である。
【００２１】
図８は例として米ドルに対応した日本円の説明書２１であり、米ドル紙幣６種、米ドル硬貨４種と通貨種類が一覧で記載されており、日本円で計算しやすい平均レートが一覧で記載してあるので、わかりやすい。例として、米ドル金額の読み方、対応して計算した日本円で物価の相場が解り、支払い方法として使用する通貨金額と枚数で支払い方が、わかりやすく説明されていて各国の硬貨通貨対比表示カード１０及び紙幣通貨対比表示カード１８と共に図８の説明書２１を添付することで理解度が増す
【００２２】
硬貨通貨対比表示カード１０及び紙幣通貨対比表示カード１８は、裏表、二つ折りになっていて、図９は広げた時の図であり、一枚で四ヶ国の通貨が記載することが出来る。
【００２３】
例えば、図９−Ａを二カ国表面とすると図９−Ｂは二カ国裏面となり、カード一枚で４面となる。
表裏で４面の四ヶ国は、大陸続きや、使用通貨が併用して流通している国、人気の旅行先にすると使い易い。
【００２４】
図１０の財布外側裏収納部２２は図８の説明書２１が入れられる大きさで財布に説明書２１を携帯していることで常に確認することが出来、安心感がある。
直接、通貨の使用にかかわらないが、あれば便利なクーポン券、レシート、タクシーチケット、宿泊先の名刺などの紙類、パネル状のものなどが入れられる。
【００２５】
硬貨通貨対比表示カード１０及び紙幣通貨対比表示カード１８は好みの場所の透明パネルポケット９に差し替えることで使い勝手も良好な財布になる。
【００２６】
硬貨通貨対比表示カード１０及び紙幣通貨対比表示カード１８を参考に外貨硬貨収納部４及び外貨紙幣収納部３に整理収納、分別収納することで、今いくらあるのかを把握でき、スムーズな取り出し支払いが容易にできる。
【００２７】
各国の通貨単位、通貨の使い方が理解出来たら通常の財布として使用することができる。
【００２８】
例えば海外の方が訪日した時も、使い慣れている通貨が韓国ウォンであれば、韓国ウォンに対応した硬貨通貨対比表示カード１０及び紙幣通貨対比表示カード１８を透明パネルポケット９に差し込むことで日本円単位１６が記載してあることで、日本での支払い計算、使用金額が把握しやすい。
【００２９】
透明パネルポケット９はポケット内部が透けて見えるのでメモ紙を入れても見やすい。
新しい通貨が発行された国などではメモ紙にわかりやすい様に書き透明パネルポケット９に入れることで対応出来る。又は硬貨そのものを透明パネルポケット９に入れることで対応出来る。
通貨とは紙幣と硬貨、両方を指します。
外貨とは自国の通貨以外の通貨を指します。
【００３０】
図３・図１１は硬貨通貨対比表示カード１０の韓国ウォンの使用例で、流通している硬貨４種を示した図で、わかりやすく１０００ウォンを１００円とした時、対応する日本円は
図１１−Ａは５００ウォン＝５０円
図１１−Ｂは１００ウォン＝１０円
図１１−Ｃは５０ウォン＝５円
図１１−Ｄは１０ウォン＝１円となる。
図５・図１２は紙幣通貨対比表示カード１８の韓国ウォンの小額紙幣を示した図で財布前面に差し込むことで小額紙幣が取り出し易くなり、少額の買い物がしやすくなり、お釣りの計算が楽になる。
図３・図１３は硬貨通貨対比表示カード１０のニュージーランドドルの使用例で流通している硬貨５種を示した図で図１３−Ｂはわかりやすく１ドルに対応する日本円を１００円とした時の図で
図１３−Ａは２ドル＝２００円
図１３−Ｃは５０セント＝５０円
図１３−Ｄは２０セント＝２０円
図１３−Eは１０セント＝１０円
図１３−Ｆは奇数の通貨の国は白紙にして書き込み可能な状態にしておくことで好きな様に書き込める。
図５・図１４は紙幣通貨対比表示カード１８のニュージーランドドルの小額紙幣で図１２と同様。
図３・図１５は硬貨通貨対比表示カード１０のカナダドルの使用例で流通している硬貨６種を示した図で
図１５−Ｂはわかりやすく１ドルに対応する日本円を１００円とした時の図で
図１５−Ａは２ドル＝２００円
図１５−Ｃは２５セント＝２５円
図１５−Ｄは１０セント＝１０円
図１５−Eは５セント＝５円
図１５−Ｆは１セント＝１円となる。
図５・図１６は紙幣通貨対比表示カード１８のカナダドルの小額紙幣で図１２と同様。
図８・図１７は韓国ウォンに対応した通貨対比表一覧説明書で紙幣４種、硬貨６種、値札例、読み方、対応して計算した日本円、支払い方例、図柄、平均レート、理解しやすい様に簡単な説明が記載されていてわかりやすい。
図８・図１８はニュージーランドドルに対応した通貨対比表一覧説明書で紙幣５種、硬貨５種と製造廃止の２種、値札例、読み方、対応して計算した日本円、支払い方例、図柄、平均レート、理解しやすい様に簡単な説明が記載されていてわかりやすい。
図８・図１９はカナダドルに対応した通貨対比表一覧説明書で紙幣５種、硬貨６種、硬貨の１種は製造廃止されているが流通している為記載されている。値札例、読み方、対応して計算した日本円、支払い方例、図柄、平均レート、理解しやすい様に簡単な説明がされていてわかりやすい。
【００３１】
紙幣収納部を前面に設けることで小額紙幣、チップ、サービス料が、収納振り分けしながら用意して入れられているので使い勝手が良い。
特に手間取ってしまう外貨硬貨において硬貨通貨対比表示カード１０に硬貨絵柄１２及び硬貨単位１４、硬貨名称１５が記載されている為、硬貨収納時に硬貨の視認、判別が容易になり、前もって種別、整理収納することにより硬貨の計算がしやすくなり硬貨を正確に取り出し且つ迅速に使用することが出来る。
外貨硬貨の計算、支払いがスムーズになることで嵩張りがちな硬貨を有効に活用でき、円滑な運用が出来るようになる。
収納部が多ければ多いほど、多くの種類の硬貨や紙幣を分別収納することが出来るが硬貨収納部は４分割又は６分割が好ましい。
通貨の種類や使い方の説明書２１を財布内に携帯できることで常に確認することができ、初めて行く国でも通貨を使いこなす事が出来る。
ファスナー７やスナップ６の他にマジックテープ（登録商標）やボタンなどの開閉用留め具により通貨の落下を防ぐ事が出来る。
【符号の説明】
【００３２】
１  財布本体
２  カード類収納部    
３  外貨紙幣収納部
４  外貨硬貨収納部
５  マチ部６  スナップ
７  ファスナー
８  仕切り板
９  透明パネルポケット
１０  硬貨通貨対比表示カード
１１  つまみ
１２  硬貨絵柄
１３  硬貨別称
１４  硬貨単位
１５  硬貨名称
１６  日本円単位
１７  ポケット上部開口部
１８  紙幣通貨対比表示カード
１９  紙幣単位
２０  紙幣名称
２１説明書
２２財布外側裏収納部
【図１】
2019154882.tif 000003
【図２】
2019154882.tif 000004
【図３】
2019154882.tif 000005
【図４】
2019154882.tif 000006
【図５】
2019154882.tif 000007
【図６】
2019154882.tif 000008
【図７】
2019154882.tif 000009
【図８】
2019154882.tif 000010
【図９】
2019154882.tif 000011
【図１０】
2019154882.tif 000012
【図１１】
2019154882.tif 000013
【図１２】
2019154882.tif 000014
【図１３】
2019154882.tif 000015
【図１４】
2019154882.tif 000016
【図１５】
2019154882.tif 000017
【図１６】
2019154882.tif 000018
【図１７】
2019154882.tif 000019
【図１８】
2019154882.tif 000020
【図１９】
2019154882.tif 000021